(57)【要約】【課題】本発明の目的は、安全性が高い光ディスクドライブ装置を提供することである。【解決手段】本発明に係る光ディスクドライブ装置は、光ディスクを収容する本体と、本体に回動可能に接続されるディスクカバーと、減速装置とを備えており、減速装置は、本体に装着された減速部材と、減速部材と本体との間に接続された弾性部材を備えており、ディスクカバーを閉じた場合には、減速部材がディスクカバーを閉じたことによって第１の方向に沿って移動され、光ディスクとの間隔を保持すると共に弾性部材に弾性力を蓄積させ、ディスクカバーを開けた場合には、弾性部材が弾性力を解放することによって減速部材を駆動させ、減速部材は第１の方向の反対方向である第２の方向に沿って移動し、光ディスクに接触することによって、光ディスクの回転速度が低減される。【選択図】図５
2014022029.tif 000002
【特許請求の範囲】
【請求項１】
光ディスクを収容する本体と、前記本体に回動可能に接続されているディスクカバーとを備えてなる光ディスクドライブ装置であって、
前記光ディスクドライブ装置が、減速装置をさらに備えており、
前記減速装置が、前記本体に装着されている減速部材と、前記減速部材と前記本体との間に接続されている弾性部材とを備えており、
前記ディスクカバーを閉じた場合には、前記減速部材が、前記ディスクカバーを閉じたことによって第１の方向に沿って移動され、前記光ディスクとの間隔を保持すると共に前記弾性部材に弾性力を蓄積させ、
前記ディスクカバーを開けた場合には、前記弾性部材が、弾性力を解放することによって前記減速部材を駆動させ、前記減速部材が、前記第１の方向の反対方向である第２の方向に沿って移動され、前記光ディスクに接触することによって、前記光ディスクの回転速度が低減されることを特徴とする光ディスクドライブ装置。
【請求項２】
前記ディスクカバーにはラッチ部材が形成されており、
前記減速部材が、主体部と、前記主体部に形成された当接部とを備えており、
前記ディスクカバーを閉じた場合には、前記ラッチ部材が、前記当接部の内部に係合すると共に前記減速部材を推進し、前記減速部材が、前記弾性部材を押圧することによって弾性力を蓄積させ、
前記ディスクカバーを開けた場合には、前記ラッチ部材は前記当接部から後退することによって前記弾性部材から弾性力を解放させることを特徴とする請求項１に記載の光ディスクドライブ装置。
【請求項３】
前記当接部が、斜面を有している凹部であり、
前記ディスクカバーを閉じた場合には、前記ラッチ部材が、前記斜面に沿って移動し、前記当接部の内部に係合することを特徴とする請求項２に記載の光ディスクドライブ装置。
【請求項４】
前記減速部材が、減速部をさらに備えており、
前記主体部が、前記減速部と前記弾性部材との間に接続されており、
前記ディスクカバーを閉じた場合には、前記減速部が、前記光ディスクとの間隔を保持し、
前記ディスクカバーを開けた場合には、前記減速部が、前記光ディスクに接触することを特徴とする請求項２に記載の光ディスクドライブ装置。
【請求項５】
前記減速部材が、前記主体部に形成されているスライドスロットをさらに備えており、
前記スライドスロットが、前記当接部と前記弾性部材との間に位置しており、
前記本体には、前記スライドスロットの内部に収容される制限部材が設置されており、
前記制限部材と前記スライドスロットとが係合することによって、前記減速部材の移動距離が制御されることを特徴とする請求項４に記載の光ディスクドライブ装置。
【請求項６】
前記本体が、互いに対して対向して設置されている第１の表面及び第２の表面を備えており、
前記第１の表面には、前記第１の表面から凹状に形成された光ディスク収納部が設置されており、
前記第２の表面には、前記第２の表面から凹状に形成された収容部が設置されており、
前記光ディスク収納部の側壁には、前記収容部と連通している貫通孔が形成されており、
前記減速部材が、前記貫通孔を貫通した状態で前記収容部にスライド可能に収容されることを特徴とする請求項５に記載の光ディスクドライブ装置。
【請求項７】
前記収容部が、互いに対して平行に配設されている２つの第１の側壁と、２つの前記第１の側壁の間に接続された第２の側壁とを備えており、
前記弾性部材が、前記第２の側壁と前記減速部材との間に接続されており、
前記制限部材が、２つの前記第１の側壁の間に設置されていることを特徴とする請求項６に記載の光ディスクドライブ装置。
【発明の詳細な説明】
【技術分野】
【０００１】
本発明は、光ディスクドライブ装置に関する。
【背景技術】
【０００２】
一般に、光ディスクドライブ装置は、ストップボタンを押すことによってモーターの回転を減速させた後に、オープンボタンを押すことによってディスクカバーを開ける。しかし、ディスクカバーを開けても光ディスクが慣性によって回転し続けている場合には、使用者を不慮に負傷させることがある。また、光ディスクが高速回転している状態において不注意でオープンボタンを押し、ディスクカバーを開けてしまった場合にも、使用者を不慮に負傷させることがある。
【発明の概要】
【発明が解決しようとする課題】
【０００３】
本発明の目的は、上述の課題を解決し、安全性が高い光ディスクドライブ装置を提供することである。
【課題を解決するための手段】
【０００４】
本発明における光ディスクドライブ装置は、光ディスクを収容する本体と、本体に回動可能に接続されているディスクカバーとを備えており、光ディスクドライブ装置が、減速装置をさらに備えており、減速装置が、本体に装着されている減速部材と、減速部材と本体との間に接続されている弾性部材とを備えており、ディスクカバーを閉じた場合には、減速部材が、ディスクカバーを閉じたことによって第１の方向に沿って移動され、光ディスクとの間隔を保持すると共に弾性部材に弾性力を蓄積させ、ディスクカバーを開けた場合には、弾性部材が、弾性力を解放することによって減速部材を駆動させ、減速部材が、第１の方向の反対方向である第２の方向に沿って移動され、光ディスクに接触することによって、光ディスクの回転速度が低減される。
【発明の効果】
【０００５】
従来の技術と比較して、本発明における光ディスクドライブ装置は、ディスクカバーを開けた場合に、減速部材が弾性部材の弾性力を解放することによって移動され、光ディスクに接触することによって、光ディスクの回転が停止されるので、光ディスクドライブ装置の安全性が高められる。
【図面の簡単な説明】
【０００６】
【図１】本発明の一の実施形態における光ディスクドライブ装置のディスクカバーを開けた状態を表わす。
【図２】別の角度から見た、図１に表わす光ディスクドライブ装置を表わす。
【図３】図２に表わす光ディスクドライブ装置の一部分の組立図である。
【図４】図１に表わす光ディスクドライブ装置のディスクカバーを閉じた状態における、Ｄ−Ｄ線に沿った断面図である。
【図５】図１に表わす光ディスクドライブ装置のディスクカバーを開けた状態における、Ｄ−Ｄ線に沿った断面図である。
【発明を実施するための形態】
【０００７】
本発明の実施形態について、図面を参照しつつ以下に説明する。
【０００８】
図１及び図２を参照する。光ディスクドライブ装置１００によって光ディスク２００に記憶したデータの読み出しや書き込みを行う場合には、光ディスク２００は高速に回転する。光ディスクドライブ装置１００は、本体１０と、ディスクカバー２０と、減速装置３０とを備えている。本体１０は、光ディスク２００及び駆動部品などを収容するために用いられる。ディスクカバー２０の片側は本体１０の片側に回動可能に接続されており、外力を作用させることによって、ディスクカバー２０は本体１０に対して開閉される。減速装置３０は、本体１０とディスクカバー２０との間に設置されており、ディスクカバー２０が開けられた場合に、光ディスク２００の回転速度を低下させるために用いられる。
【０００９】
本体１０は、略方形であり、互いに対して直角に設置されている第１の側壁１１及び第２の側壁１２と、互いに対して対向して設置されている第１の表面１３及び第２の表面１４と、光ディスク収納部１５と、貫通孔１６と、収容部１７とを備えている。第１の表面１３は、ディスクカバー２０に対面している。光ディスク収納部１５は、略円状であり、第１の表面１３の中央部から凹状に形成されており、底面１５０と、底面１５０を囲み且つ第１の表面１３に接続された側面１５１とを備えている。貫通孔１６は、側面１５１の第２の側壁１２に近い片側に形成されている。収容部１７は、略Ｕ字状を呈し、第２の表面１４の光ディスク収納部１５に近い片側に凹状に形成されており、底壁１７０と、２つの第３の側壁１７１と、第４の側壁１７２と、制限部材１７３とを備えている。２つの第３の側壁１７１は互いに平行に配置されており、貫通孔１６は２つの第３の側壁１７１の間に配設されている。第４の側壁１７２の両側は、２つの第３の側壁１７１に接続されており、光ディスク収納部１５から離隔している。制限部材１７３は、略円柱状であり、底壁１７０に形成されている。
【００１０】
ディスクカバー２０は、方形であり、互いに対して直角に設置されている第５の側壁２１及び第６の側壁２２と、互いに対して対向して設置されている第３の表面２３及び第４の表面２４と、回動部２５とを備えている。第５の側壁２１及び第６の側壁２２は、第３の表面２３と第４の表面２４との間に、第３の表面２３及び第４の表面２４に対して垂直に接続されている。第５の側壁２１は第１の側壁１１に対応しており、第６の側壁２２は第２の側壁１２に対応している。回動部２５は、第４の表面２４の第５の側壁２１に近い一端に設置されており、回動軸（図示しない）を介して本体１０の第１の側壁１１に近い一端に回動可能に接続されているので、ディスクカバー２０が本体１０に対して開閉可能となる。
【００１１】
図３を併せて参照すると、減速装置３０は、減速部材３１と、弾性部材３３と、固定部材３５と、ラッチ部材３７とを備えている。減速部材３１は、貫通孔１６を貫通した状態で収容部１７の内部にスライド可能に収容されている。弾性部材３３は、収容部１７の内部に収容されており、減速部材３１と第４の側壁１７２との間に位置している。
【００１２】
減速部材３１は、略直方体状であり、主体部３１０と、当接部３２０と、スライドスロット３３０と、第１の固定部３４０と、第２の固定部３５０と、減速部３６０とを備えている。主体部３１０は、第１の部分３１１と、第１の部分３１１に接続されている第２の部分３１３とを備えている。第１の部分３１１の厚さは第２の部分３１３の厚さより大きいので、第１の部分３１１と第２の部分３１３との間には段差が形成されている。当接部３２０は、第１の部分３１１に形成された斜面３２１を有する凹部である。斜面３２１は、第２の部分３１３から第１の部分３１１に向かって斜めに形成されている。スライドスロット３３０は、略楕円状であり、第２の部分３１３を貫通している。第１の固定部３４０は、第１の部分３１１の端面から凹状に形成されている。第２の固定部３５０は、第２の部分３１３の端面から凹状に形成されている。減速部３６０は、第１の固定部３４０の内部に位置しており、光ディスク２００に接触するために用いられる。当該実施形態では、減速部３６０は軟性材料から作られている。
【００１３】
弾性部材３３は、バネであり、その両端は収容部１７の第４の側壁１７２及び第２の固定部３５０の底面に当接している。固定部材３５は、ネジであり、スライドスロット３３０を貫いて制限部材１７３に螺合される。ラッチ部材３７は、ディスクカバー２０の第４の表面２４の当接部３２０に対応する箇所に突出して形成された制限部材である。
【００１４】
組み立てる場合には、減速部材３１の主体３１０の第２の部分３１３を貫通孔１６に貫通させ、減速部材３１の主体３１０の第２の部分３１３を収容部１７に収容させ、収容部１７の制限部材１７３を減速部材３１のスライドスロット３３０に収容させる。固定部材３５を制限部材１７３に固定し、減速部材３１が移動中に揺れ動かないようにする。減速部材３１の第２の固定部３５０と収容部１７の第４の側壁１７２との間に弾性部材３３を接続する。
【００１５】
図４を参照すると、ディスクカバー２０を閉じた場合には、ラッチ部材３７は、斜面３２１に沿ってスライドすることによって当接部３２０の内部に係合すると共に、減速部材３１を推進させる。これにより、減速部材３１が、収容部１７の第４の側壁１７２に向かって移動することによって弾性部材３３を押圧し、減速部材３１の主体部３１０の第１の部分３１１の一端が、貫通孔１６周囲の側面１５１と同一平面上に位置するようになる。減速部材３１がスライドしているところ、制限部材１７３とスライドスロット３３０が係合することによって、減速部材３１の移動距離を制御する。ラッチ部材３７が当接部３２０の内部に係合すると、スライドスロット３３０の第１の部分３１１に近い一端は制限部材１７３に当接して、減速部３６０と光ディスク２００との間隔が保持される。
【００１６】
図５を参照すると、ディスクカバー２０を開けた場合には、ラッチ部材３７が当接部３２０から後退し、弾性部材３３の弾性力によって減速部材３１は収容部１７の第４の側壁１７２から離隔する方向に移動して、減速部材３１の主体３１０の第１の部分３１１は、貫通孔１６を貫通した状態で光ディスク２００に向かって移動する。減速部材３１の移動方向は、光ディスク２００の回転方向の切線方向に対して垂直とされる。ラッチ部材３７が当接部３２０から完全に後退すると、スライドスロット３３０の第２の部分３１３に近い一端が制限部材１７３に当接し、減速部３６０は光ディスク２００の辺縁に接触するので、光ディスク２００の回転速度が低減される。
【００１７】
本発明の減速装置３０において、ラッチ部材３７と当接部３２０との位置は、実際の需要によって定めることができ、例えば、ラッチ部材３７が減速部材３１に設置され、当接部３２０がディスクカバー２０に設置される場合がある。ラッチ部材３７及び当接部３２０の係合方式も実際の需要によって定めることができ、例えば、係合フックによる係止方式などである。また、弾性部材３３は、ディスクカバー２０を開けた場合に減速部材３１に動力を提供する部材とすることができる。弾性部材３３は、例えば、ディスクカバー２０と減速部材３１との間に配設された捩じりバネである。
【００１８】
以上、本発明を実施形態に基づいて具体的に説明したが、本発明は、上述の実施形態に限定されるものではなく、その要旨を逸脱しない範囲において、種々の変更が可能であることは勿論であって、本発明の技術的範囲は、以下の特許請求の範囲から決まる。
【符号の説明】
【００１９】
１０  本体
１１  第１の側壁
１２  第２の側壁
１３  第１の表面
１４  第２の表面
１５  光ディスク収納部
１６  貫通孔
１７  収容部
２０  ディスクカバー
２１  第５の側壁
２２  第６の側壁
２３  第３の表面
２４  第４の表面
２５  回動部
３０  減速装置
３１  減速部材
３３  弾性部材
３５  固定部材
３７  ラッチ部材
１００  光ディスクドライブ装置
１７１  第３の側壁
１７２  第４の側壁
１７３  制限部材
２００  光ディスク
３１０  主体部
３１１  第１の部分
３１３  第２の部分
３２０  当接部
３２１  斜面
３３０  スライドスロット
３４０  第１の固定部
３５０  第２の固定部
３６０  減速部
【図１】
2014022029.tif 000003
【図２】
2014022029.tif 000004
【図３】
2014022029.tif 000005
【図４】
2014022029.tif 000006
【図５】
2014022029.tif 000007